(57)【特許請求の範囲】
【請求項１】
温室内に配設されるカーテンが連結される誘導パイプを、走行ワイヤの走行動作に伴って移動させるに当たって、該誘導パイプと走行ワイヤとを連動させるために設けられる温室カーテン用誘導パイプの連動機構であって、
前記誘導パイプに連結されるパイプ連結部を有すると共に、前記走行ワイヤが遊挿されるワイヤ係合部を有し、走行ワイヤ自身に生ずる周方向への回転を許容しつつ該走行ワイヤに沿って移動可能なガイド部材と、
前記ガイド部材とは独立して前記走行ワイヤに連結される一方、走行ワイヤの走行に伴って前記ガイド部材を押圧し、該ガイド部材を移動させる動作部材と
を具備することを特徴とする温室カーテン用誘導パイプの連動機構。
【請求項２】
前記ガイド部材のパイプ連結部が、誘導パイプと嵌合し得る略半管状に形成されていると共に、前記ワイヤ係合部が、該パイプ連結部に一体的に設けられた板部に形成されたスリットからなり、前記動作部材がこの板部に当接することにより、ガイド部材を押圧する構成であることを特徴とする請求項１記載の温室カーテン用誘導パイプの連動機構。
【請求項３】
前記ガイド部材を構成する前記板部を２個一対有すると共に、該２個一対の各板部が、連結部を介して所定間隔をおいて走行ワイヤの張設方向に対向して設けられ、前記ワイヤ係合部を構成するスリットが、対向する板部同士でそれぞれ異なる側端縁から切り欠かれて形成されていることを特徴とする請求項２記載の温室カーテン用誘導パイプの連動機構。
【請求項４】
前記ガイド部材が、誘導パイプと嵌合し得る略半管状に形成されたパイプ連結部と、該パイプ連結部に一体的に設けられると共に、連結部を介して所定間隔をおいて走行ワイヤの張設方向に対向して設けられた２個一対の板部と、各板部にそれぞれ異なる側端縁から切り欠かれて形成され、前記ワイヤ係合部を構成するスリットとを備えてなり、
前記動作部材が、前記ガイド部材のスリットを介してその板部間に位置する走行ワイヤに連結され、前記各板部の内面を押圧可能に設けられていることを特徴とする請求項１記載の温室カーテン用誘導パイプの連動機構。
【請求項５】
前記ガイド部材は、各板部間に収容される動作部材が、走行ワイヤ自身に生ずる周方向への回転と共に回転動作することを許容し得る大きさで形成されていることを特徴とする請求項４記載の温室カーテン用誘導パイプの連動機構。
【請求項６】
前記動作部材は、複数の部材の組立て体からなり、一方の部材に形成された溝部に、他方の部材に形成された複数の突起部を嵌合させることにより、該複数の突起部同士の間隔を狭め、その間に前記走行ワイヤを挟持可能な構成であることを特徴とする請求項１〜５のいずれか１に記載の温室カーテン用誘導パイプの連動機構。
【発明の詳細な説明】
【０００１】
【発明の属する技術分野】
本発明は、温室内に配設されるカーテンが連結される誘導パイプを、走行ワイヤの走行動作に伴って移動させるに当たって、該誘導パイプと走行ワイヤとを連動させるために設けられる温室カーテン用誘導パイプの連動機構に関する。
【０００２】
【従来の技術】
温室内には、通常、プラスチックフィルムからなる遮光用、保温用等のカーテンが配設されていると共に、このカーテンを開閉するための装置が配設されている。この装置は、図６の構成図に即して説明すると、例えば、温室Ａの長手方向の側面に沿って張設したサイド滑車部材１０，１１を取り付けるための取付用ワイヤ１０ａ，１１ａと、該サイド滑車部材１０，１１に掛け回され、温室Ａの側面間に張設される走行ワイヤ１２と、この走行ワイヤ１２を駆動するため、該走行ワイヤ１２が掛け回されて配設され、駆動部として機能する駆動用巻き取りドラム１３と、を有して構成されている。そして、カーテン１４，１５は、パイプ材やワイヤからなり、温室の幅方向略中央において長手方向に沿って配設された中央支持部材１６に一端縁が固定され、他端縁が誘導パイプ１７，１８に固定されている。この誘導パイプ１７，１８は走行ワイヤ１２に連結具を介して連結されているため、該カーテン１４，１５はこの誘導パイプ１７，１８を介して走行ワイヤ１２に連結されていることになり、走行ワイヤ１２の走行に追随して該カーテン１４，１５が開閉せしめられる。
【０００３】
このカーテン開閉装置において、誘導パイプ１７，１８と走行ワイヤ１２とは、走行中に離脱したり、連結部分が緩んでしまうと、誘導パイプ１７，１８の走行が走行ワイヤ１２の走行に追随せず、カーテン１４，１５を開閉することができない。従って、通常、図７に示すような連結具２３を用いて、誘導パイプ１７，１８を走行ワイヤ１２に固定して連結している。この連結具２３は、半円状の板状体からなる挟持片２３１，２３２を組み合わせて形成されたリング状の部材である。挟持片には２３１，２３２の下部には挿通孔２３４が設けられている。
そして、該挿通孔２３４に走行ワイヤ１２を挿通するとともに、挟持片２３１，２３２により、誘導パイプ１７を挟持し、止着ネジ２３３を締め付ける。これにより、走行ワイヤ１２は、誘導パイプ１７，１８の底部と連結具２３の間に挟まれて固定される。
【０００４】
【発明が解決しようとする課題】
ところで、複数の金属細線を螺旋状に撚り合わせて構成される走行ワイヤ１２は、軸方向に張力が加えられると、撚り合わされている金属細線の捻り戻されることによって周方向に回転する。また、駆動用巻き取りドラム１３に巻き取られたり、回転するサイド滑車部材１０，１１に接することにより摩擦力を生じると、走行ワイヤ１２は表面の螺旋形状に沿って周方向に回転しながら走行する。
従って、上記のように走行ワイヤ１２と誘導パイプ１７，１８を完全に固定してしまうと、当該固定部分に走行ワイヤ１２が周方向に回転しようとする力により、走行ワイヤ１２自体に捻れ負荷が加わる結果、固定部分付近において、走行ワイヤを形成する金属細線の一部がねじ切れるおそれがある。
【０００５】
本発明は上記事情に鑑みなされたものであり、誘導パイプを走行ワイヤに確実に連結できる一方で、走行ワイヤが周方向に回転することによる一部の金属細線の切断を防止することができる温室カーテン用誘導パイプの連動機構を提供することを課題とする。
上記した走行ワイヤの金属細線のねじ切れは、一つの連結具により、走行ワイヤと誘導パイプとを締め付けることにより固定されているため、走行ワイヤの周方向へ回転する力に対する誘導パイプの反力により生ずるものである。かかる問題を解消するには、走行ワイヤに連結する部材と、誘導パイプに連結する部材とを別部材として、走行ワイヤの周方向への回転を許容させる連動機構とすることを見出した結果、本発明をするに至ったものである。
【課題を解決するための手段】
【０００６】
上記した課題を解決するため、本発明の温室カーテン用誘導パイプの連動機構は、温室内に配設されるカーテンが連結される誘導パイプを、走行ワイヤの走行動作に伴って移動させるに当たって、該誘導パイプと走行ワイヤとを連動させるために設けられる温室カーテン用誘導パイプの連動機構であって、
前記誘導パイプに連結されるパイプ連結部を有すると共に、前記走行ワイヤが遊挿されるワイヤ係合部を有し、走行ワイヤ自身に生ずる周方向への回転を許容しつつ該走行ワイヤに沿って移動可能なガイド部材と、
前記ガイド部材とは独立して前記走行ワイヤに連結される一方、走行ワイヤの走行に伴って前記ガイド部材を押圧し、該ガイド部材を移動させる動作部材と
を具備することを特徴とする。
【０００７】
上記の温室カーテン用誘導パイプの連動機構は、前記ガイド部材のパイプ連結部が、誘導パイプと嵌合し得る略半管状に形成されていると共に、前記ワイヤ係合部が、該パイプ連結部に一体的に設けられた板部に形成されたスリットからなり、前記動作部材がこの板部に当接することにより、ガイド部材を押圧する構成することができる。
【０００８】
上記の温室カーテン用誘導パイプの連動機構は、前記ガイド部材を構成する前記板部を２個一対有すると共に、該２個一対の各板部が、連結部を介して所定間隔をおいて走行ワイヤの張設方向に対向して設けられ、前記ワイヤ係合部を構成するスリットが、対向する板部同士でそれぞれ異なる側端縁から切り欠かれて形成することができる。
【０００９】
請求項１記載の温室カーテン用誘導パイプの連動機構は、前記ガイド部材が、誘導パイプと嵌合し得る略半管状に形成されたパイプ連結部と、該パイプ連結部に一体的に設けられると共に、連結部を介して所定間隔をおいて走行ワイヤの張設方向に対向して設けられた２個一対の板部と、各板部にそれぞれ異なる側端縁から切り欠かれて形成され、前記ワイヤ係合部を構成するスリットとを備えてなり、前記動作部材が、前記ガイド部材のスリットを介してその板部間に位置する走行ワイヤに連結され、前記各板部の内面を押圧可能に設けることができる。
【００１０】
請求項４記載の温室カーテン用誘導パイプの連動機構におけるガイド部材は、各板部間に収容される動作部材が、走行ワイヤ自身に生ずる周方向への回転と共に回転動作することを許容し得る大きさで形成することができる。
【００１１】
請求項１〜５のいずれか１に記載の温室カーテン用誘導パイプの連動機構において、前記動作部材は、複数の部材の組立て体からなり、一方の部材に形成された溝部に、他方の部材に形成された複数の突起部を嵌合させることにより、該複数の突起部同士の間隔を狭め、その間に前記走行ワイヤを挟持可能な構成とすることができる。
【００１２】
【発明の実施の形態】
以下、図面に示した実施の形態に基づき本発明をさらに詳細に説明する。図１〜図５は、本発明の一の実施の形態にかかる温室カーテン用誘導パイプの連動機構１を示す図であり、動作部材２、ガイド部材３を有して構成されている。
【００１３】
動作部材２は、走行ワイヤ４に固定され、走行ワイヤ４の走行に伴って後述するガイド部材３を押圧し、該ガイド部材３を移動させるように作用するものである。
【００１４】
具体的には、本実施の形態では、図２に示すように断面略台形の板状体に形成された雄部材２１と雌部材２２とにより構成される。雄部材２１の合わせ面２１１上には、突起体２１２〜２１５が立設している。突起体２１２〜２１５は、それぞれ略円柱状の垂直部２１２ａ〜２１５ａと該垂直部の先端側面部に設けられた屈曲部２１２ｂ〜２１５ｂにより、略Ｌ字形状に形成されている。突起体２１２，２１３と突起体２１４，２１５は、それぞれ一対となり、雄部材２１の長手方向中心線を挟んで相対向して配置される。一対の突起体間には、走行ワイヤ４に固定する際に、走行ワイヤ４を挟持する。従って、一対の突起体の間隔は走行ワイヤ４の直径よりもやや短い長さが選択される。
【００１５】
雌部材２２の合わせ面２２１上には長手方向の中心線に沿って走行ワイヤ４を収容するための長溝２２２が設けられている。また、雌部材２２には、前記雄部材２１の突起体２１２，２１３が嵌入して係合する係合孔２２３と、突起体２１４，２１５が嵌入して係合する係合孔２２４が略長円形形状に形成されている。
係合孔２２３，２２４の開孔長さは、突起体２１２〜２１５を嵌入した際に、対向する一対の突起体間の距離を縮めることが可能となるように、屈曲部２１２ｂ，２１３ｂ、２１４ｂ，２１５ｂの両端部距離よりもやや短く形成される。
【００１６】
以上のように構成される動作部材２は、次のように走行ワイヤ４に固定される。まず、雄部材２１の合わせ面２１１上に設けられた一対の突起体２１２，２１３、２１４，２１５間にワイヤ４を挟持させて仮止めする。次に、雄部材２１の２列の突起体をそれぞれ雌部材の係合孔２２３，２２４にあてがって、雄・雌両部材の合わせ面２１１，２１２を密着させるように押し込む。相互の合わせ面２１１，２１２を密着させると、突起体２１２，２１３は、係合孔２２３に、突起体２１４，２１５は、係合孔２２４にそれぞれ嵌入される。そして図５に示すように雄部材２１、雌部材２２が係合する結果、突起体２１２，２１３、２１４，２１５の間に挟持された走行ワイヤ４は、係合孔２２３，２２４によって突起体２１１〜２１５がそれぞれの対向方向に押圧されることにより、強固に挟持され、動作部材２は走行ワイヤ４に固定される。
なお、動作部材２は、本発明の一形態であり、走行ワイヤ４に連結され、走行ワイヤ４の走行に伴って、後述するガイド部材３を押圧し、該ガイド部材３を移動させ得るものであれば、上記形状に限定されるものでない。
【００１７】
ガイド部材３は、図４に示すように誘導パイプ５に連結するパイプ連結部３１と、ワイヤ係合部３２とを有して構成される。
【００１８】
パイプ連結部３１は、一部に軸方向に沿って切り欠かれ、誘導パイプ５への挿入口として機能する開口部３１ａを備え、誘導パイプ５の断面形状に近似した断面をもつと共に、誘導パイプ５の外面に近接する弾性を発揮する抱持部３１ｂを有する。なお、パイプ連結部３１は、誘導パイプ５に連結すると同時に、カーテン６を挟み込んで抱持し、誘導パイプ５にカーテン６を連結するカーテン連結具として併用することができる。
【００１９】
ワイヤ係合部３２は、所定幅の板状体を略コ字状に屈曲形成することにより、対向する２つの板部３２１，３２２と、該遊挿部を連結する連結部３２３とを構成している。連結部３２３の長さと板部３２１，３２２の高さは、三辺で動作部材２を収容するとともに、動作部材２が走行ワイヤ４に固定された状態において、走行ワイヤ４を中心軸として回転しても、板部３２１，３２２及び連結部３２３に接触することなく自由に回転することが可能な長さ・高さとする。本発明は、走行ワイヤ４の周方向への回転を無理なく行わせしめ、走行ワイヤ４に捻れ負荷が加わらないようにすることが最大の目的だからである。
【００２０】
板部３２１，３２２には、高さ方向の略中央一辺端から水平かつ奥行方向の略中央位置までに至るスリット３２１ａ，３２２ａが、対向する板部３２１，３２２同士でそれぞれ異なる側端縁から切り欠かれて形成されている。このようにスリット３２１ａ，３２２ａを形成することにより、走行ワイヤ４を張設した後においてもガイド部材３を取り付けることが可能であると共に、容易に離脱することもない。なお、スリット３２１ａ，３２２ａには、走行ワイヤ４を遊挿して配設するものであるため、スリット３２１ａ，３２２ａの開口幅は、少なくとも走行ワイヤ４が無理なく回転できる距離が確保される。
【００２１】
以上のように形成されるガイド部材３は、まず、パイプ連結部３１の開口部３１ａを誘導パイプ５の外周にあてがって押圧することにより、誘導パイプ５と連結する。次に、動作部材２が固定されている走行ワイヤ４を、動作部材２を中心とする左右両側部分をそれぞれスリット３２１ａ，３２２ａに挿入する。その結果、動作部材２は板部３２１，３２２の間に収容され、図５に示すように誘導パイプ５と、走行ワイヤ４が連結される。
【００２２】
ここで、図１において、走行ワイヤ４は、駆動用巻き取りドラム（図示せず）などに巻回されると共に、図示しない案内滑車間に掛け渡されて配設されている。駆動用巻き取りドラムの回転により走行ワイヤ４は開・閉任意の方向に走行を開始する。例えば、図１において、走行ワイヤ４が閉方向に走行した場合、動作部材２は、走行ワイヤ４の走行に伴って閉方向に移動する。移動した動作部材２は、進行方向の一端がガイド部材３の板部３２１と当接して押圧する。動作部材２に押圧されたガイド部材３は、動作部材２の走行移動に押されて閉方向に移動し、さらに連結している誘導パイプ５を閉方向に移動させる。この結果、カーテン６は誘導パイプ５に引っ張られて閉じていく。これとは逆に、走行ワイヤ４が開方向に走行する場合には、動作部材２の進行方向の一端が係合部３２２と当接して、同様に、ガイド部材３及び誘導パイプ５を開方向に移動させる。この結果、カーテン６は誘導パイプ５により寄せ集められて開いていく。
【００２３】
勿論、本実施形態においても、走行ワイヤ４に張力が加えられることにより、又は駆動用巻き取りドラムや案内滑車に接触することにより、走行ワイヤ４は周方向に回転しようとする。しかしながら、本実施形態において、動作部材２は一端がガイド部材３の板部３２１，３２２と当接することのみにより押圧するものである。また、ワイヤ係合部３２はその内部で動作部材２が回転するのに十分なスペースを有して構成されている。このため、走行ワイヤ４が周方向に回転した場合には、動作部材２もまた、走行ワイヤ４を中心軸として無理なく回転することができる。従って、走行ワイヤ４が周方向に回転しても、走行ワイヤ４自体に捻れ負荷がかかることはなく、走行ワイヤ４を構成する金属細線の切断を防止することができる。
【００２４】
なお、ガイド部材３は、上記の形状に限定されるものでないことは勿論である。例えば、板部３２１，３２２は、いずれか一方のみを配設する構成としてもよい。かかる構成とする場合、該板部のスリットが位置する走行ワイヤ４の両側に動作部材２を配設することにより、走行ワイヤ４が開・閉いずれの方向に走行しても、動作部材２が板部を押圧してガイド部材３を移動させることが可能である。
【００２５】
【発明の効果】
本発明の温室カーテン用誘導パイプの連動機構は、誘導パイプに連結した状態においても、走行ワイヤが周方向に回転することが可能な構成である。従って、走行ワイヤが周方向に回転しても連結部分の走行ワイヤに無理な力が加わることがなく、走行ワイヤが切断したりすることがない。
【図面の簡単な説明】
【図１】図１は本発明の一の実施の形態にかかる温室カーテン用誘導パイプの連動機構を示す斜視図である。
【図２】図２は上記実施の形態にかかる動作部材の斜視図である。
【図３】図３は上記実施の形態にかかる動作部材が、走行ワイヤに固定されている状態を示す斜視図である。
【図４】図４は上記実施の形態にかかるガイド部材を示す正面図である。
【図５】図５は、本発明の一の実施の形態にかかる動作部材とガイド部材を、誘導パイプ及び走行ワイヤに配設した状態を示す図である。
【図６】図６は、従来使用されている温室用カーテン開閉装置の動作を説明するための概略概念図である。
【図７】図７は従来使用されている連結具を示す斜視図である。
【符号の説明】
１  温室カーテン用誘導パイプの連動機構
２  動作部材
３  ガイド部材
【図１】
0004546000.tif 000002
【図２】
0004546000.tif 000003
【図３】
0004546000.tif 000004
【図４】
0004546000.tif 000005
【図５】
0004546000.tif 000006
【図６】
0004546000.tif 000007
【図７】
0004546000.tif 000008